(57)【要約】【課題】球技者の捕球操作に対する操作性の低下を極力抑止しながらも捕球用ウエブの損傷を効果的に抑止し得る野球用グローブを提供する。【解決手段】親指挿入部１と人差指挿入部２との間に配設された皮革製の捕球用ウエブ６の手首側部位に、捕球用ウエブ６の指長方向長さよりも小さな指長方向長さの樹脂製の補強体７を配設する。【選択図】図１
2008113804.tif 000002
【特許請求の範囲】
【請求項１】
親指挿入部と人差指挿入部との間に配設された皮革製の捕球用ウエブの手首側部位に、捕球用ウエブの指長方向長さよりも小さな指長方向長さの樹脂製の補強体が配設されている野球用グローブ。
【請求項２】
前記補強体が、皮革よりも弾性復元力の大きな樹脂から構成されている請求項１記載の野球用グローブ。
【請求項３】
前記補強体が、前記補球用ウエブの手掌側面よりも手甲側に配置されている請求項１又は２記載の野球用グローブ。
【請求項４】
前記捕球用ウエブの手甲側面の一部が、前記補強体をもって構成されている請求項３記載の野球用グローブ。
【請求項５】
前記補強体が、前記捕球用ウエブの手甲側面を備える手甲側皮革の一部に代えて設けられている請求項４記載の野球用グローブ。
【請求項６】
前記補強体が板状に形成されているとともに、その補強体の指長方向両端縁の各々には、前記捕球用ウエブの手甲側皮革の手掌側面に対し補強体の手甲側面よりも手掌側で面当接可能な取付面を備える帯状段部が形成されている請求項５記載の野球用グローブ。
【請求項７】
前記補強体が、捕球対象物の直径よりも小さな指長方向長さで形成され、且つ、捕球時に捕球対象物が接触する捕球部位の中間部に配置されている請求項１〜６のいずれか１項に記載の野球用グローブ。
【請求項８】
前記補強体には、前記捕球用ウエブを取り付けるための固定紐を挿通する紐通し穴が形成されている請求項１〜７のいずれか１項に記載の野球用グローブ。
【発明の詳細な説明】
【技術分野】
【０００１】
本発明は、野球やソフトボールなどで使用される野球用グローブに関し、特に、親指挿入部と人差指挿入部との間に配設された捕球用ウエブの損傷を抑止する技術に関するものである。
【背景技術】
【０００２】
この種の野球用グローブとしては、捕球用ウエブの全部を有色透明プラスチック等の樹脂で形成することで、一般的な皮革製の捕球用ウエブに比べて捕球用ウエブの強度を向上させたものが知られている。（下記特許文献１参照）
【特許文献１】実公昭５８−４５７４７号公報
【発明の開示】
【発明が解決しようとする課題】
【０００３】
ところが、捕球用ウエブの全部をプラスチック等の樹脂で形成する上記の如き従来の野球用グローブでは、皮革製の捕球用ウエブに比べて捕球用ウエブの変形性能が全体的に低下してしまい、そのことで、転動する捕球対象物に対する迎球姿勢（つまり、捕球用ウエブの手先側部位を接地させて捕球用ウエブを手掌側に屈曲させた姿勢）への姿勢変更や捕球対象物が捕球部位（詳しくは、捕球用ウエブの手首側部位を中心とする一定の領域部位）に収まった状態から捕球対象物を包み込むように親指挿入部と人差指挿入部の先端どうしを接触させた捕球姿勢への姿勢変更が行い難くなって、球技者の捕球操作に対する操作性が大幅に低下してしまう問題があった。
【０００４】
この実情に鑑み、本発明の主たる課題は、球技者の捕球操作に対する操作性の低下を極力抑止しながらも捕球用ウエブの損傷を効果的に抑止し得る野球用グローブを提供する点にある。
【課題を解決するための手段】
【０００５】
本発明の第１特徴構成は野球用グローブに係り、その特徴は、
親指挿入部と人差指挿入部との間に配設された皮革製の捕球用ウエブの手首側部位に、捕球用ウエブの指長方向長さよりも小さな指長方向長さの樹脂製の補強体が配設されている点にある。
【０００６】
つまり、上記特徴構成によれば、前記迎球姿勢や前記捕球姿勢への姿勢変更する際の変形量の大きな捕球用ウエブの手先側部位を適度な変形性能を備えた皮革で構成して球技者の捕球操作に対する操作性の低下を抑止しながらも、捕球部位を構成する捕球用ウエブの手首側部位に対して樹脂製の補強体を配設して捕球用ウエブの強度を向上させることができて、捕球用ウエブの損傷を効果的に抑止することができる。
【０００７】
本発明の第２特徴構成は、第１特徴構成の実施に好適な実施形態を特定するものであり、その特徴は、
前記補強体が、皮革よりも弾性復元力の大きな樹脂から構成されている点にある。
【０００８】
つまり、野球用グローブにおいては手を拡げた姿勢が待機姿勢（つまり、野球用グローブを装着して捕球対象物を待つ姿勢）となるのに対し、補強体の弾性復元力でもって捕球用ウエブを待機姿勢に付勢することができるから、その付勢力の分だけ待機姿勢の保持や捕球姿勢から待機姿勢への姿勢変更を行い易くすることができて、この点で、球技者の捕球操作に対する操作性を向上させることができる。
【０００９】
本発明の第３特徴構成は、第１又は第２特徴構成の実施に好適な実施形態を特定するものであり、その特徴は、
前記補強体が、前記補球用ウエブの手掌側面よりも手甲側に配置されている点にある。
【００１０】
つまり、上記特徴構成によれば、捕球対象物と接触する捕球用ウエブの手掌側面を捕球に適した弾力を備えた皮革で形成することができるから、捕球対象物が樹脂製の補強体に接触して弾かれてしまうなどのことで捕球部位から捕球対象物が脱落するなどの不具合を効果的に抑止することができて、補球用ウエブの強度の向上を図るのに伴う球技者の捕球操作に対する操作性の低下を一層効果的に抑止することができる。
【００１１】
本発明の第４特徴構成は、第３特徴構成の実施に好適な実施形態を特定するものであり、その特徴は、
前記捕球用ウエブの手甲側面の一部が、前記補強体をもって構成されている点にある。
【００１２】
つまり、上記特徴構成によれば、例えば、ダイビングキャッチなど捕球用ウエブの手甲側面が地面に対して摺動される捕球形態に対し、皮革よりも損傷し難い樹脂製の補強体で捕球用ウエブの一部を構成した分だけ、捕球用ウエブの手甲側面の損傷を抑止することができる。
【００１３】
本発明の第５特徴構成は、第４特徴構成の実施に好適な実施形態を特定するものであり、その特徴は、
前記補強体が、前記捕球用ウエブの手甲側面を備える手甲側皮革の一部に代えて設けられている点にある。
【００１４】
つまり、上記特徴構成によれば、例えば、補強体を捕球用ウエブの手甲側面を備える手甲側皮革に積層する場合に比べ、手甲側皮革の体積を低減することができて、製作材料の低減化や製作コストの低廉化を図ることができる。
【００１５】
本発明の第６特徴構成は、第５特徴構成の実施に好適な実施形態を特定するものであり、その特徴は、
前記補強体が板状に形成されているとともに、その補強体の指長方向両端縁の各々には、前記捕球用ウエブの手甲側皮革の手掌側面に対し補強体の手甲側面よりも手掌側で面当接可能な取付面を備える帯状段部が形成されている点にある。
【００１６】
つまり、上記特徴構成によれば、補強体を捕球用ウエブに取り付けるとき、前記帯状段部の角部を捕球用ウエブの端部に当て付けて補強体を捕球用ウエブに対し正確に位置決めすることができて、製作精度を高く確保することができるとともに、板状の補強体を捕球用ウエブに取り付けた状態において捕球用ウエブの手甲側面と補強体の手甲側面との境界に生じる段差を帯状段部を形成した分だけ小さくすることができて、その捕球用ウエブの手甲側面と補強体の手甲側面との境界の段差が地面に対する接触抵抗になるなどのことで球技者の捕球操作に対する操作性が低下するといった不具合を効果的に抑止することできる。
【００１７】
本発明の第７特徴構成は、第１〜第６特徴構成のいずれかの実施に好適な実施形態を特定するものであり、その特徴は、
前記補強体が、捕球対象物の直径よりも小さな指長方向長さで形成され、且つ、捕球時に捕球対象物が接触する捕球部位の中間部に配置されている点にある。
【００１８】
つまり、上記特徴構成によれば、捕球時に捕球対象物が接触する捕球部位の中間部に補強体が配置されているから、受止衝撃力に対する変形量の大きな皮革で形成された前記中間部を除く部位の捕球時の変形をもって捕球対象物を捕球部位で包み込む形態で捕球対象物をしっかりと受け止めることがでながらも、捕球時において捕球対象物の受止衝撃力が大きくなる中間部の強度を補強体で向上させることができる。
【００１９】
しかも、補強体が捕球対象物の直径よりも小さな指長方向長さで形成されているから、捕球時には、補強体を配置した部位と捕球対象物の受止衝撃力に対する変形量の大きな皮革で形成された部位との双方に対し同時的に捕球対象物を接触させることができ、これにより、捕球対象物が変形量の小さな補強体配置部位のみと接触して弾かれてしまうなどのことで捕球部位から捕球対象物が脱落するなどの不具合を効果的に抑止することができる。
【００２０】
本発明の第８特徴構成は、第１〜第７特徴構成のいずれかの実施に好適な実施形態を特定するものであり、その特徴は、
前記補強体には、前記捕球用ウエブを取り付けるための固定紐を挿通する紐通し穴が形成されている点にある。
【００２１】
つまり、捕球時には、捕球対象物の受止衝撃力により捕球用ウエブを取り付ける固定紐に引張力が作用して、その引張力により固定紐を挿通する紐通し穴に損傷が生じてしまうことも考えられるが、紐通し穴を樹脂製の補強体に形成する上記第８特徴構成であれば、紐通し穴を皮革で構成された部分に形成する場合に比べ紐通し穴の強度を向上させることができて、捕球対象物の受止衝撃力による捕球用ウエブの損傷を一層効果的に抑止することができる。
【発明を実施するための最良の形態】
【００２２】
図１、図２は、野球やソフトボールにおいて球技者の利き手と反対の手（本例では左手）に装着して使用される野球用グローブを示し、この野球用グローブは、親指挿入部１、人差指挿入部２、中指挿入部３、薬指挿入部４、小指挿入部５を備える皮革製のグローブ本体Ａと、親指挿入部１と人差指挿入部２との間に配設される皮革製の捕球用ウエブ６とから構成されているとともに、前記捕球用ウエブ６の手首側部位には、捕球用ウエブ６の指長方向長さＬｗよりも小さな指長方向長さＬの樹脂製（本例では、合成樹脂製）の板状の補強体７が、捕球用ウエブ６の指並設方向端縁間に亘らせる状態で配設されている。
【００２３】
前記捕球用ウエブ６は、手先側に向かって徐々に拡がった正面視逆台形状に形成され、その手先側先端部を前記グローブ本体Ａの各指挿入部１、２、３、４、５を連結する第１固定紐８により親指挿入部１、人差指挿入部２の各先端部位に対し固定されているとともに、手首側末端部を第３固定紐１０により親指挿入部１、人差指挿入部２の各中間部位及びそれら各指挿入部１、２の間の股間部位に固定され、更に中間部を第２固定紐９により親指挿入部１、人差指挿入部２の各中間部位に固定されている。
【００２４】
図３、図４に示すように、前記捕球用ウエブ６は、ウエブ形成用皮革の手先側及び手首側の両側を手甲側に折り曲げて、それらの端部どうしを前記補強体７で連結する形態（換言すれば、捕球用ウエブ６の手甲側皮革６Ａ（ウエブ形成皮革の手甲側部）の一部に代えて補強体７を設ける形態）で、手甲側皮革６Ａと補強体７と手掌側皮革６Ｂ（つまり、ウエブ形成皮革の手掌側部）とを縫着する第１縫着部ｎ１、補強体７と手掌側皮革６Ｂとを縫着する第２縫着部ｎ２、補強体７と手甲側皮革６Ａとを縫着する第３縫着部ｎ３、手甲側皮革６Ａと手掌側皮革６Ｂとを縫着する第４縫着部ｎ４及び第５縫着部ｎ５を手首側から順に形成して構成されており、補強体７が捕球用ウエブ６の手甲側面の一部を構成する状態で補球用ウエブ６の手掌側面よりも手甲側に配置されている。
【００２５】
つまり、捕球用ウエブ６の手先側部位を接地させて捕球用ウエブ６を手掌側に屈曲させた前記迎球姿勢に姿勢変更する際の変形量や、捕球対象物Ｂが捕球部位Ｃに収まった状態から捕球対象物Ｂを包み込むように親指挿入部１と人差指挿入部２の先端部位どうしを、捕球用ウエブ６を屈曲させながら接触させた捕球姿勢に姿勢変更する際の変形量が大きくなる捕球用ウエブ６の手先側部位を適度な変形性能を備えたウエブ形成用皮革で構成することで、球技者の捕球操作に対する操作性の低下を抑止しながらも、捕球部位Ｃの中間部に位置する捕球用ウエブ６の手首側部位に対して補強体７を配設することで、捕球用ウエブ６の強度を効果的に向上させる。
【００２６】
しかも、捕球対象物Ｂと接触する捕球用ウエブ６の手掌側面を捕球に適した弾力を備えたウエブ形成用皮革（詳しくは、手掌側皮革６Ｂ）で形成することで、捕球対象物Ｂが補強体７に直接接触して弾かれてしまうなどの不具合を効果的に抑止するとともに、ダイビングキャッチなど捕球用ウエブ６の手甲側面が地面に対して摺動される捕球形態に対しても、捕球用ウエブ６の手甲側面が損傷するのを手甲側皮革６Ａよりも強度の高い補強体７でもって効果的に抑止する。
【００２７】
そして、捕球用ウエブ６には、これら各縫着部ｎ１〜ｎ５での縫着により第３固定紐１０を挿入するための第３挿入部ｓ３、ｓ３、第２固定紐を挿入するための第２挿入部ｓ２、ｓ２、第１固定紐を挿入するための第１挿入部ｓ１の複数（本例では５つ）の挿入部が手首側から順に形成されている。
【００２８】
また、前記第３挿入部ｓ３、ｓ３に対面する手甲側外皮６Ａ及び補強体７の各部分には、第３固定紐１０を挿通する複数の第３紐通し穴ｃ３が各々形成され、前記第２挿入部ｓ２、ｓ２に対面する補強体７、手甲側外皮６Ａの各部分には、第２固定紐９を挿通する複数の第２紐通し穴ｃ２が各々形成されているとともに、前記第１挿入部ｓ１に対面する手甲側外皮６Ａ及び手掌側外皮６Ｂの各部分には、第１固定紐８を手甲側から手掌側に亘って貫通させる複数の第１紐通し穴ｃ１が形成されている。
【００２９】
そのため、紐通し穴ｓ２、ｓ３の一部を手甲側皮革６Ａよりも強度の高い補強体７に形成する分、捕球対象物Ｂの受止衝撃力により第１、２固定紐８、９に作用する引張力により第１、２固定紐８、９を挿通する紐通し穴ｓ２、ｓ３に損傷が生じるのを効果的に抑止することができる。
【００３０】
なお、６ａは、捕球用ウエブ６の手先側部位の変形性能を確保するために手甲側外皮６Ａに指並設方向に間隔を空けて形成された一対の切り込みである。
【００３１】
前記補強体７は、皮革よりも大きな弾性復元力を備える樹脂をもって、捕球用ウエブ６の指並設方向長さと同じ指並設方向長さと、捕球対象物Ｂの直径Ｌｂよりも小さな指長方向長さＬとを有する正面視略長方形の板状に構成されているとともに、捕球時に捕球対象物Ｂが接触する捕球部位Ｃの端部を除く中間部に配置されている。
【００３２】
そのため、捕球対象物Ｂを捕球する捕球部位Ｃにおける皮革製の端部の皮革特有の大きな変形をもって、捕球対象物Ｂを捕球部位Ｃで包み込む形態で捕球対象物Ｂをしっかりと受け止めることができながらも、捕球時において捕球対象物Ｂの受止衝撃力が大きな捕球部位Ｃの中間部の強度を補強体７により効果的に向上させることができ、しかも、捕球時には、補強体７を配置した部位と捕球対象物の受止衝撃力に対する変形量の大きな皮革で形成された部位との双方に対し同時的に捕球対象物Ｂを接触させることができて、捕球対象物Ｂが変形量の小さな補強体７配置部位のみと接触して弾かれてしまうなどの不具合を効果的に抑止することができる。
【００３３】
また、野球用グローブにおいては手を拡げた図１、図２に示す姿勢が待機姿勢（つまり、野球用グローブを装着して捕球対象物Ｂを待つときの姿勢）となるのに対し、補強体７の弾性復元力でもって捕球用ウエブ６を前記待機姿勢に付勢することができて、待機姿勢の保持や捕球姿勢から待機姿勢への姿勢変更を行い易くすることができる。
【００３４】
前記補強体７の指並設方向両端縁の中間部分の各々には、Ｖの字状の切り欠き７ｂが形成されているとともに、補強体７の指長方向両端縁の各々には、捕球用ウエブ６の手甲側皮革４Ａの手掌側面に対し補強体７の手甲側面７Ａよりも手掌側で面当接可能な取付面１１ａを備える帯状段部１１、１１が形成されている。
【００３５】
前記帯状段部１１は、補強体７の指長方向中央部７ａよりも薄い薄帯状、詳しくは、指長方向中央部７ａの約半分の厚みの指長方向中央側縁（内側縁）から指長方向端縁側縁（外側縁）に向かって徐々に薄くなる薄帯状に形成されており、補強体７の指長方向中央部７ａの手甲側面から手掌側に一段下がった帯状段部１１の取付面１１ａが指長方向端縁側（外側）に向かって手掌側に傾斜する傾斜面に構成されている。
【００３６】
そのため、補強体７を捕球用ウエブ６に取り付けるとき、補強体７の帯状段部１１の角部１１ｂを捕球用ウエブ６の手甲側皮革６Ａの端部に容易に当て付けて、補強体７を捕球用ウエブ６に対し正確に位置決めすることができるとともに、補強体７を捕球用ウエブ６に取り付けた状態において捕球用ウエブ６の手甲側面と補強体７の手甲側面との境界に生じる段差を帯状段部１１を手甲側皮革６Ａよりも薄く形成した分だけ小さくすることができて、捕球用ウエブ６の手甲側面と補強体７の手甲側面との段差が地面に対する接触抵抗となるなどのことで球技者の捕球操作に対する操作性が低下するといった不具合を効果的に抑止することできる。
【００３７】
また、上述の如く、帯状段部１１を外側縁に向かって徐々に薄くなる薄帯状に形成することで、手甲側皮革６Ａの手掌側面と補強体７の手掌側面とで構成される第２挿入部ｓ２や第３挿入部ｓ３の内面に段差が生じることを抑止することができ、これにより、各挿入部ｓ２、ｓ３の内面の段差に原因して挿入部ｓ２、ｓ３に対する各固定紐９、１０の挿入操作が行い難くなったり、各固定紐９、１０の所望位置への配置操作が行い難くなったりするなどの不具合を抑止することができる。
【００３８】
なお、グローブ本体Ａを構成する皮革や捕球用ウエブ６を形成するウエブ形成皮革は、天然皮革、合成皮革のどちらであってもよい。
【００３９】
［その他の実施形態］
〔１〕捕球用ウエブ６の形態は、従来から種々のものが存在するが、何れの形態の捕球用ウエブに本発明を適用してもよい。
【００４０】
〔２〕補強体７を成形する樹脂としては、種々の合成樹脂、合成ゴム、天然ゴムなどを採用できる。
【００４１】
〔３〕補強体７の形状（つまり、外形や大きさ）などの具体的構成は、前述の実施形態で示した如き構成に限られるものではなく、種々の構成変更が可能である。
【００４２】
〔４〕前述の実施形態では、補強体７を捕球用ウエブ６の指並設方向端縁間に亘らせる状態で前記捕球用ウエブ６の手首側部位に配設する場合を例に示したが、例えば、補強体７を捕球用ウエブの指並設方向中間部に配設したりしてもよく、要するに、補強体７は捕球用ウエブ６の手首側部位であればどのように配設してもよい。
【００４３】
〔５〕前述の実施形態では、補強体７を捕球用ウエブ６の手掌側面よりも手甲側に設ける構成を例に示したが、手掌側面よりも手掌側に設けてもよい。
【００４４】
〔６〕前述の実施形態では、補強体７を捕球用ウエブ６の手甲側皮革６Ａの一部に代えて設ける場合を例に示したが、捕球用ウエブ６の手甲側皮革６Ａに積層して設けてもよい。
【００４５】
〔７〕前述の実施形態では、補強体７を捕球用ウエブ６の手甲側皮革６Ａに設ける場合を例に示したが、手掌側皮革６Ｂに設けてもよい。
【００４６】
上述の如く補強体７を手掌側皮革６Ｂに設ける場合、手甲側皮革６Ａに設ける場合と同様、手掌側皮革６Ｂの一部に代えて設けてもよく、或いは、手掌側皮革６Ｂに積層して設けてもよい。
【００４７】
〔８〕前述の実施形態では、補強体７を捕球用ウエブ６に対し縫着により取り付ける場合を例に示したが、これに限らず、例えば、接着剤による接着や貼着テープによる貼着などにより取り付けてもよい。
【図面の簡単な説明】
【００４８】
【図１】本発明に係る野球用グローブの手甲側外観図
【図２】本発明に係る野球用グローブの手掌側外観図
【図３】本発明に係る野球用グローブの要部分解斜視図
【図４】図３のＡ−Ａ線断面図
【符号の説明】
【００４９】
１            親指挿入部
２            人差指挿入部
６            捕球用ウエブ
６Ａ          手甲側皮革
７            補強体
８〜１０      固定紐
１１          帯状段部
１１ａ        取付面
ｃ１〜ｃ３    紐通し穴
Ｂ            捕球対象物
Ｃ            捕球部位
【図１】
2008113804.tif 000003
【図２】
2008113804.tif 000004
【図３】
2008113804.tif 000005
【図４】
2008113804.tif 000006